(57)【要約】【課題】容易にコスト算出を行うと共に、有効な経済評価を簡単に行うことができる自動車部品開発支援システムを提供すること。【解決手段】データ入力を行う入力手段１０は、自動車部品の構成データを入力する構成データ入力部１２と、自動車部品に対する比較条件を入力する比較条件入力部１３とを有し、データを格納したデータベース２０は、自動車部品の構成データを格納する構成データ格納部２１と、自動車部品のコストデータを格納するコストデータ格納部２２と、自動車部品の性能データを格納する性能データ格納部２３と、を有し、データを抽出して演算し、格納する演算手段３０は、自動車部品のコストデータを算出するコストデータ算出部３２と、自動車部品に関する統計処理をする統計処理部３３とを有し、コストデータ算出部３２は、構成データ入力部１２により入力された構成データに基づいてコストデータを算出し、統計処理部３３は、前記データベース２０から抽出したデータを統計処理する。【選択図】図１
2010079602.tif 000002
【特許請求の範囲】
【請求項１】
データ入力を行う入力手段と、データを格納したデータベースと、前記入力手段からの入力データや前記データベースの格納データからデータを抽出して演算し、演算結果や前記入力データを前記データベースに格納する演算手段と、前記演算手段の演算結果を出力する出力手段と、を備えた自動車部品開発支援システムであって、
前記入力手段は、前記自動車部品の構成データを入力する構成データ入力部と、前記自動車部品に対する比較条件を入力する比較条件入力部とを有し、
前記データベースは、自動車部品の構成データを格納する構成データ格納部と、前記自動車部品のコストデータを格納するコストデータ格納部と、前記自動車部品の性能データを格納する性能データ格納部と、を有し、
前記演算手段は、前記自動車部品のコストデータを算出するコストデータ算出部と、前記自動車部品に関する統計処理をする統計処理部とを有し、
前記コストデータ算出部は、前記構成データ入力部により入力された構成データに基づいてコストデータを算出し、
前記統計処理部は、前記データベースから抽出したデータを統計処理することを特徴とする自動車部品開発支援システム。
【請求項２】
請求項１に記載された自動車部品開発支援システムにおいて、
前記演算手段は、前記構成データ入力部から入力された構成データと、前記コストデータ算出部により算出されたコストデータとを、前記自動車部品の名称をキーに関連付けて前記構成データ格納部と前記コストデータ格納部とにそれぞれ格納するデータ格納処理部を有することを特徴とする自動車部品開発支援システム。
【請求項３】
請求項１又は請求項２に記載された自動車部品開発支援システムにおいて、
前記統計処理部は、前記自動車部品のコストデータの内訳を比較するコスト分析部を有することを特徴とする自動車部品開発支援システム。
【請求項４】
請求項１乃至請求項３のいずれか一項に記載された自動車部品開発支援システムにおいて、
前記統計処理部は、前記自動車部品のトレンド解析をするトレンド解析部を有することを特徴とする自動車部品開発支援システム。
【請求項５】
請求項１乃至請求項４のいずれか一項に記載された自動車部品開発支援システムにおいて、
前記統計処理部は、前記自動車部品の前記コストデータと前記性能データとを一元的に表示する競争力評価部を有することを特徴とする自動車部品開発支援システム。
【発明の詳細な説明】
【技術分野】
【０００１】
本発明は、自動車部品における構成及びそのコストを容易に記録すると共に、記録したデータを開発支援に用いる自動車部品開発支援システムに関するものである。
【背景技術】
【０００２】
従来から、部品コストを算出するために、見積り基準データベースに格納された見積り基準データを基にコストを計算するコスト見積り装置が知られている（例えば、特許文献１参照）。
【特許文献１】特開平９−１６０９４５号公報
【発明の開示】
【発明が解決しようとする課題】
【０００３】
ところで、上述のコスト見積り装置では、コストを計算することはできても例えば目標コストとの差を求めたり、過去の入力データとの比較を行ったりするためには、コストデータの再入力や手計算等を行う必要があった。そのため、容易に開発目標を提示することが難しく、算出したコストデータを有効活用することができなかった。
【０００４】
そこで、この発明は、容易にコスト算出を行うと共に、有効な経済評価を簡単に行うことができる自動車部品開発支援システムを提供することを課題としている。
【課題を解決するための手段】
【０００５】
上記課題を解決するために、この発明に係る自動車部品開発支援システムは、データ入力を行う入力手段と、データを格納したデータベースと、前記入力手段からの入力データや前記データベースの格納データからデータを抽出して演算し、演算結果や前記入力データを前記データベースに格納する演算手段と、前記演算手段の演算結果を出力する出力手段と、を備えた自動車部品開発支援システムであって、前記入力手段は、前記自動車部品の構成データを入力する構成データ入力部と、前記自動車部品に対する比較条件を入力する比較条件入力部とを有し、前記データベースは、自動車部品の構成データを格納する構成データ格納部と、前記自動車部品のコストデータを格納するコストデータ格納部と、前記自動車部品の性能データを格納する性能データ格納部と、を有し、前記演算手段は、前記自動車部品のコストデータを算出するコストデータ算出部と、前記自動車部品に関する統計処理をする統計処理部とを有し、前記コストデータ算出部は、前記構成データ入力部により入力された構成データに基づいてコストデータを算出し、前記統計処理部は、前記データベースから抽出したデータを統計処理することを特徴としている。
【発明の効果】
【０００６】
この発明によれば、構成データ入力部により自動車部品の構成データを入力すると、コストデータ算出部において、この構成データに基づきコストデータ算出処理が実行され、コストデータが算出される。また、比較条件入力部から比較条件を入力すると、統計処理部において、この比較条件に合致するデータを抽出して統計処理するデータ統計処理が実行され、統計結果が出力される。
すなわち、構成データを入力すれば、コストデータ算出部のコストデータ算出処理によってコストデータが算出され、比較条件を入力すれば、統計処理部のデータ統計処理により統計結果が出力される。そのため、算出したコストデータを有効活用し、ＶＡ案件の抽出や開発目標の提示の容易化を図ることができる。
この結果、容易にコスト算出を行うと共に、有効な経済評価を簡単に行うことができる。
【発明を実施するための最良の形態】
【０００７】
以下、本発明の自動車部品開発支援システムを実現する最良の形態を、図面に示す実施例１に基づいて説明する。
【実施例１】
【０００８】
まず、構成を説明する。
図１は、実施例１の自動車部品開発支援システムを示す全体構成図である。
【０００９】
実施例１における自動車部品開発支援システムは、入力手段１０と、データベース２０と、演算手段３０と、出力手段４０と、を備えている。
【００１０】
前記入力手段１０は、キーボードや各種ポインティングデバイス等を利用してデータ（情報）を入力するものであり、メニューデータ入力部１１と、構成データ入力部１２と、比較条件入力部１３とを有している。
【００１１】
前記メニューデータ入力部１１は、ログイン画面１１ａ（図２参照）と、メニュー画面１１ｂ（図３参照）と、を有している。
【００１２】
図２に示すログイン画面１１ａは、自動車部品開発支援システムへのログインデータを入力する画面である。なお、ログインデータは、ユーザＩＤとパスワードである。これらのログインデータが正確に入力できなければ、以降の入力作業を行うことができない。
【００１３】
図３に示すメニュー画面１１ｂは、ログイン画面１１ａにて正確なログイン情報を入力した後に立ち上がる設定になっており、自動車部品の部品名称を絞り込み入力する画面である。なお、部品名称は、データベース２０の後述する必要データ格納部２４に予め格納されており、選択方式で入力するようになっている。
【００１４】
前記構成データ入力部１２は、構成・コスト入力画面１２ａ（図４参照）を有している。図4に示す構成・コスト入力画面１２ａは、メニュー画面１１ｂにおいて構成・コストボタンＢ1が選択された後に立ち上がる設定になっており、メニュー画面１１ｂにて入力された部品名称に関連する構成データを入力すると共に、コストデータ（ここでは、材料費、部品費、加工費）の演算指令を入力する材料費入力画面１２ｂ（図5参照）、部品費入力画面１２ｃ（図6参照）、加工費入力画面１２ｄ（図7参照）にリンクしている画面である。さらに、この構成・コスト入力画面１２ａは、構成データ登録ボタンBT1と、構成・コストデータ登録ボタンBTとを有している。構成データ登録ボタンBT1を選択することで、構成データをデータベース２０に格納させる第１データ格納指令を入力する。また、構成・コストデータ登録ボタンBTを選択することで、構成データ及びコストデータをそれぞれデータベース２０に格納させる第２データ格納指令を入力する。
【００１５】
前記材料費入力画面１２ｂは、構成・コスト入力画面１２ａにおいて材料費ボタンB5が選択された後に立ち上がる設定になっており、計算ボタンBKを選択することで、構成・コスト入力画面１２ａにて入力された構成データ及びデータベース２０から抽出された必要データの修正と、演算指令の入力をする画面である。なお、演算指令の入力により算出された材料費データは材料費入力画面１２ｂ及び構成・コスト入力画面１２ａに反映される。
【００１６】
前記部品費入力画面１２ｃは、構成・コスト入力画面１２ａにおいて部品費ボタンB6が選択された後に立ち上がる設定になっており、計算ボタンBKを選択することで、構成・コスト入力画面１２ａにて入力された構成データ及びデータベース２０から抽出された必要データの修正と、演算指令の入力をする画面である。なお、演算指令の入力により算出された部品費データは部品費入力画面１２ｃ及び構成・コスト入力画面１２ａに反映される。
【００１７】
前記加工費入力画面１２ｄは、構成・コスト入力画面１２ａにおいて加工費ボタンB7が選択された後に立ち上がる設定になっており、計算ボタンBKを選択することで、構成・コスト入力画面１２ａにて入力された構成データ及びデータベース２０から抽出された必要データの修正と、演算指令の入力をする画面である。なお、演算指令の入力により算出された加工費データは加工費入力画面１２ｄ及び構成・コスト入力画面１２ａに反映される。
【００１８】
前記比較条件入力部１３は、コスト分析条件入力画面１３ａ（図８参照）と、トレンド解析条件入力画面１３ｂ（図10参照）と、競争力評価条件入力画面１３ｃ（図12参照）と、を有している。
【００１９】
前記コスト分析条件入力画面１３ａは、メニュー画面１１ｂにおいてコスト分析ボタンB2が選択された後に立ち上がる設定になっており、メニュー画面１１ｂにて入力された部品名称に関連する比較対象データを入力する画面である。また、このコスト分析条件入力画面１３ａに有するコスト分析出力ボタンB8を選択することで、コスト分析処理指令が入力される。
【００２０】
前記トレンド解析条件入力画面１３ｂは、メニュー画面１１ｂにおいてトレンド解析ボタンB3が選択された後に立ち上がる設定になっており、メニュー画面１１ｂにて入力された部品名称に関連する比較対象データを入力する画面である。また、このトレンド解析条件入力画面１３ｂに有するトレンド解析出力ボタンB9を選択することで、トレンド解析処理指令が入力される。
【００２１】
前記競争力評価条件入力画面１３ｃは、メニュー画面１１ｂにおいて競争力評価ボタンB4が選択された後に立ち上がる設定になっており、メニュー画面１１ｂにて入力された部品名称に関連する比較対象データを入力する画面である。また、この競争力評価条件入力画面１３ｃに有する競争力評価出力ボタンB10を選択することで、競争力評価処理指令が入力される。
【００２２】
データベース２０は、データを格納するものであり、構成データ格納部２１と、コストデータ格納部２２と、性能データ格納部２３と、必要データ格納部２４と、を有している。
【００２３】
前記構成データ格納部２１は、自動車部品の構成データを格納する。ここで、構成データは、例えば数量、材質、材質グレード、質量、寸法（縦寸法、横寸法、高さ寸法、厚み寸法、径寸法）、塗装種類、パイプ曲げ箇所数、ロー付け数、工法等である。
【００２４】
前記コストデータ格納部２２は、自動車部品のコストデータを格納する。ここで、コストデータは、例えば材料費コスト、部品費コスト、加工費コスト等である。なお、このコストデータは、演算手段３０にて演算される。
【００２５】
前記性能データ格納部２３は、自動車部品の性能データを格納する。ここで、性能データは、例えば小型化性能、軽量化性能、温度分布性能、通気抵抗性能、総合性能等である。
【００２６】
前記必要データ格納部２４は、入力手段１０において選択入力する際に必要なデータや、演算手段３０において演算処理する際に必要なデータを格納する。なお、この必要データ格納部２４に格納された必要データは、予め入力（格納）されている。
【００２７】
前記演算手段３０は、任意のデータを抽出して演算し、データベース２０に格納するものであり、データ抽出部３１と、コストデータ算出部３２と、統計処理部３３と、データ格納処理部３４と、を有している。
【００２８】
前記データ抽出部３１は、演算指令が入力手段１０から入力されると、演算指令に応じた任意のデータを抽出する。すなわち、材料費入力画面１２ｂにおいて計算ボタンBKが選択されると、構成・コスト入力画面１２ａにて入力された構成データと、必要データ格納部２４に格納された必要データとのうち材料費の算出に必要なデータを抽出する。また、部品費入力画面１２ｃにおいて計算ボタンBKが選択されると、構成・コスト入力画面１２ａにて入力された構成データと、必要データ格納部２４に格納された必要データとのうち部品費の算出に必要なデータを抽出する。また、加工費入力画面１２ｄにおいて計算ボタンBKが選択されると、構成・コスト入力画面１２ａにて入力された構成データと、必要データ格納部２４に格納された必要データとのうち、加工費の算出に必要なデータを抽出する。また、コスト分析条件入力画面１３ａにおいてコスト分析出力ボタンB8が選択されると、コストデータ格納部２２に格納されたコストデータのうち、比較条件に合致したコスト分析に必要なデータを抽出する。また、トレンド解析条件入力画面１３ｂにおいてトレンド解析出力ボタンB9が選択されると、構成データ格納部２１に格納された構成データと、コストデータ格納部２２に格納されたコストデータと、性能データ格納部２３に格納された性能データのうち、比較条件に合致したトレンド解析に必要なデータを抽出する。また、競争力評価条件入力画面１３ｃにおいて競争力評価出力ボタンB10が選択されると、構成データ格納部２１に格納された構成データと、コストデータ格納部２２に格納されたコストデータと、性能データ格納部２３に格納された性能データのうち、比較条件に合致した競争力評価に必要なデータを抽出する。
【００２９】
前記コストデータ算出部３２は、材料費演算指令に基づいて抽出したデータを基に材料費を算出し、部品費演算指令に基づいて抽出したデータを基に部品費を算出し、加工費演算指令に基づいて抽出したデータを基に加工費を算出する。
【００３０】
前記統計処理部３３は、コスト分析部３５と、トレンド解析部３６と、競争力評価部３７とを有している。
【００３１】
前記コスト分析部３５は、コスト分析処理指令に基づいて抽出したデータを基にコスト分析処理を行い、出力手段４０に出力する。なお、出力形式は、図９に示すような縦棒グラフである。
【００３２】
前記トレンド解析部３６は、トレンド解析処理指令に基づいて抽出したデータを基にトレンド解析処理を行い、出力手段４０に出力する。なお、出力形式は、図11に示すような折れ線グラフである。
【００３３】
前記競争力評価部３７は、競争力評価処理指令に基づいて抽出したデータを基に競争力評価処理を行い、出力手段４０に出力する。なお、出力形式は、図13に示すようなレーダーチャートである。
【００３４】
前記データ格納処理部３４は、データ格納指令に基づいて構成データ入力部１２から入力された構成データと、コストデータ算出部３２により算出されたコストデータとを部品名称をキーに関連付けてコストデータ格納部２１とコストデータ格納部２２とにそれぞれ格納する。
【００３５】
出力手段４０は、液晶ディスプレイやプリンタ等を利用してデータ（情報）を出力するものである。なお、構成データ入力部１２によって入力された構成データと、コストデータ算出部３２にて算出されたコストデータとは、部品名称をキーに一覧表示される。また、統計処理部３３による統計結果は、上述のように各種のグラフ形式で表示される。
【００３６】
図14は、実施例１の自動車部品開発支援システムにて実行される名称及び処理内容選択処理の流れを示すフローチャートである。図15は、実施例1の自動車部品開発支援システムにて実行される構成・コスト入力処理の流れを示すフローチャートである。図16は、実施例1の自動車部品開発支援システムにて実行されるコスト分析処理の流れを示すフローチャートである。図17は、実施例1の自動車部品開発支援システムにて実行されるトレンド解析処理の流れを示すフローチャートである。図18は、実施例1の自動車部品開発支援システムにて実行される競争力評価処理の流れを示すフローチャートである。以下、各ステップについて説明する。
【００３７】
名称及び処理内容選択処理（図14）のステップＳ１では、ユーザIDとパスワードを入力してログインし、ステップＳ２へ移行する。
【００３８】
ステップＳ２では、ステップＳ１でのログインに続き、メニュー画面１１ｂを立ち上げ、ステップＳ３へ移行する。
【００３９】
ステップＳ３では、ステップＳ２でのメニュー画面１１ｂ立ち上げに続き、自動車部品の部品名称を選択しながら絞り込んでいき、ステップＳ４へ移行する。なお、この名称絞込みは以下の手順により行われる。
予め必要データ格納部２４に格納された名称テーブルにおいて、「製品群」として区分けされた名称データの中から一つ選択する→この選択した製品群に関連付けられた「製品」として区分けされた名称データの中から一つ選択する→この選択した製品に関連付けられた「コンポーネント」として区分けされた名称データの中から一つ選択する→この選択したコンポーネントに関連付けられた「部品名」として区分けされた名称データの中から一つ選択する→予め必要データ格納部２４に格納された車種テーブルの中から、「カーメーカー」として区分けされた車種データの中から一つ選択する→この選択したカーメーカーに関連付けられた「車名」として区分けされた車種データの中から一つ選択する→この選択した車名に関連付けられた「年式」として区分けられた車種データの中から一つ選択する→選択された名称データ及び車種データに合致する部品名称データを検索し、メニュー画面１１ｂの表示領域Ｈに抽出表示する。
ここで、「部品名称」は、名称データと車種データとを組み合わせて表示されるものである。また、各名称データ及び車種データは、メニュー画面１１ｂに表示されるプルダウンボタンをクリックすることで一覧として表示され、表示された名称データ又は車種データを再びクリックすることで選択する。
【００４０】
ステップＳ４では、ステップＳ３での部品名称絞込みに続き、最終的に任意の部品名称を決定し、ステップＳ５へ移行する。この名称決定は、表示領域Hに表示された検索結果のうちの一つをクリックすることで行う。
【００４１】
ステップＳ５では、ステップＳ４での部品名称決定に続き、構成・コスト入力指令が入力されたか否かを判断し、YES（構成・コスト入力指令入力）の場合はステップＳ10へ移行し構成・コスト入力処理が実行され、NO（構成・コスト入力指令不入力）の場合はステップＳ６へ移行する。
【００４２】
ステップＳ６では、ステップＳ５での構成・コスト入力指令不入力との判断に続き、コスト分析指令が入力されたか否かを判断し、YES（コスト分析指令入力）の場合はステップＳ20へ移行しコスト分析処理が実行され、NO（コスト分析指令不入力）の場合はステップＳ７へ移行する。
【００４３】
ステップＳ７では、ステップＳ６でのコスト分析指令不入力との判断に続き、トレンド解析指令が入力されたか否かを判断し、YES（トレンド解析指令入力）の場合はステップＳ30へ移行しトレンド解析指令処理が実行され、NO（トレンド解析指令不入力）の場合はステップＳ40へ移行し競争力評価処理が実行される。
【００４４】
構成・コスト入力処理（図15）のステップＳ11では、構成・コスト入力画面１１ｂを立ち上げ、ステップＳ12へ移行する。
【００４５】
ステップＳ12では、ステップＳ11の構成・コスト入力画面１１ｂ立ち上げに続き、構成データを入力し、ステップＳ13へ移行する。なお、構成データの入力は、ステップＳ４での部品名称決定に伴って必要データ格納部２４から抽出されるデータを自動入力すると共に、寸法情報等をユーザにより手入力する。
【００４６】
ステップＳ13では、ステップＳ12での構成データの入力に続き、材料費の算出が必要か否かを判断し、YES（材料費要算出）の場合はステップＳ14へ移行し、NO（材料費算出不要）の場合はステップＳ15へ移行する。なお、材料費算出の要否は、構成・コスト入力画面１２ａにおいて材料費要否表示領域αに○印が表示されるか否かにより判断する。この○印は、ステップＳ４での部品名称決定に伴って必要データ格納部２４から抽出される。
【００４７】
ステップＳ14では、ステップＳ13での材料費要算出との判断に続き、材料費を算出してステップＳ15へ移行する。材料費の算出は、以下の手順により行われる。
材料費算出ボタンB5選択→材料費入力画面１２ｂ立ち上がり→必要に応じてデータ修正→計算ボタンBK選択→演算実行→算出。
【００４８】
ステップＳ15では、ステップＳ13での材料費算出不要との判断又はステップＳ14での材料費算出に続き、部品費の算出が必要か否かを判断し、YES（部品費要算出）の場合はステップＳ16へ移行し、NO（部品費算出不要）の場合はステップＳ17へ移行する。なお、部品費算出の要否は、構成・コスト入力画面１２ａにおいて部品費要否表示領域βに○印が表示されるか否かにより判断する。この○印は、ステップＳ４での部品名称決定に伴って必要データ格納部２４から抽出される。
【００４９】
ステップＳ16では、ステップＳ15での部品費要算出との判断に続き、部品費を算出してステップＳ17へ移行する。部品費の算出は、以下の手順により行われる。
部品費算出ボタンB6選択→部品費入力画面１２ｃ立ち上がり→必要に応じてデータ修正→計算ボタンBK選択→演算実行→算出。
【００５０】
ステップＳ17では、ステップＳ15での部品費算出不要との判断又はステップＳ16での部品費算出に続き、加工費の算出が必要か否かを判断し、YES（加工費要算出）の場合はステップＳ18へ移行し、NO（加工費算出不要）の場合はステップＳ19へ移行する。なお、加工費算出の要否は、構成・コスト入力画面１２ａにおいて加工費要否表示領域γに○印が表示されるか否かにより判断する。この○印は、ステップＳ４での部品名称決定に伴って必要データ格納部２４から抽出される。
【００５１】
ステップＳ18では、ステップＳ17での加工費要算出との判断に続き、加工費を算出してステップＳ19へ移行する。加工費の算出は、以下の手順により行われる。
加工費算出ボタンB7選択→加工費入力画面１２ｄ立ち上がり→必要に応じてデータ修正→計算ボタンBK選択→演算実行→算出。
【００５２】
ステップＳ19では、ステップＳ17での加工費算出不要との判断又はステップＳ18での加工費算出に続き、構成データを構成データ格納部２１に格納し、ステップＳ19aへ移行する。
【００５３】
ステップＳ19ａでは、ステップＳ19での構成データ格納に続き、部品名称をキーに構成データと関連付けてコストデータをコストデータ格納部２２に格納し、処理を終了する。このステップＳ19及びステップＳ19aにおけるデータ格納処理は、構成・コスト入力画面１２ａにおいて登録ボタンBTが選択されることで、データ格納処理部３４において実行される。
【００５４】
コスト分析処理（図16）のステップＳ21では、コスト分析条件入力画面１３ａ（図８）を立ち上げ、ステップＳ22へ移行する。
【００５５】
ステップＳ22では、ステップＳ21でのコスト分析条件入力画面１３ａの立ち上げに続き、分析の比較対象になる部品名称を選択しながら絞り込み、ステップＳ23へ移行する。なお、この対象名称絞込みは以下の手順により行われる。
予め必要データ格納部２４に格納された部品名称テーブルの中から、「製品群」として区分けされた名称データの中から一つ選択する→この選択した製品群に関連付けられた「製品」として区分けされた名称データの中から一つ選択する→この選択した製品に関連付けられた「コンポーネント」として区分けされた名称データの中から一つ選択する→この選択したコンポーネントに関連付けられた「部品名」として区分けされた名称データの中から一つ選択する→予め必要データ格納部２４に格納された車種テーブルの中から、「カーメーカー」として区分けされた車種データの中から一つ選択する→この選択したカーメーカーに関連付けられた「車名」として区分けされた車種データの中から一つ選択する→この選択した車名に関連付けられた「年式」として区分けられた車種データの中から一つ選択する→選択された名称データと車種データとに合致する部品名称データを検索し、コスト分析条件入力画面１３ａの比較対象表示領域HHに抽出表示する。
【００５６】
ステップＳ23では、ステップＳ22での比較対象部品名称絞込みに続き、最終的に任意の比較対象部品名称を決定し、ステップＳ24へ移行する。この対象名称決定は、比較対象表示領域HHに表示された検索結果の中の一つを選んでクリックし、下向矢印ボタンY1を選択することで、確定領域KHに表示されると同時に行われる。なお、確定領域KHに表示された確定結果の中の一つを選んでクリックし、上向矢印ボタンY2を選択すると、検索結果に再表示されると同時に比較対象から外される。
【００５７】
ステップＳ24では、ステップＳ23での比較対象部品名称決定に続き、比較項目を選択決定し、ステップＳ25へ移行する。この比較項目の選択決定は、予め必要データ格納部２４に格納された比較項目テーブルの中から選択することで行う。
【００５８】
ステップＳ25では、ステップＳ24での比較項目選択に続き、ステップＳ12にて選択した部品名称及びステップＳ24にて選択した比較項目に合致する最新のコストデータをコストデータ格納部２２から抽出し、ステップＳ26へ移行する。
【００５９】
ステップＳ26では、ステップＳ25でのコストデータ抽出に続き、ステップＳ23にて選択した比較対象の部品名称及びステップＳ24にて選択した比較項目に合致する最新のコストデータをコストデータ格納部２２から抽出し、ステップＳ27へ移行する。
【００６０】
ステップＳ27では、ステップＳ26でのコストデータ抽出に続き、抽出したコストデータをコスト分析統計処理し、ステップＳ28へ移行する。なお、コスト解析統計処理とは、コストデータを項目ごとに区分けし、一覧表示することである。
【００６１】
ステップＳ28では、ステップＳ27での統計処理に続き、処理結果を出力手段４０に表示し、処理を終了する。なお、ここでは図９に示す縦棒グラフとして表示する。
【００６２】
トレンド解析処理（図17）のステップＳ31では、トレンド解析条件入力画面１３ｂ（図10）を立ち上げ、ステップＳ32へ移行する。
【００６３】
ステップＳ32では、ステップＳ31でのトレンド解析条件入力画面１３ｂの立ち上げに続き、分析の比較対象になる部品名称を選択しながら絞り込み、ステップＳ33へ移行する。なお、この対象名称絞込みは上述のステップＳ22と同様である。
【００６４】
ステップＳ33では、ステップＳ32での比較対象部品名称絞込みに続き、最終的に任意の比較対象部品名称を決定し、ステップＳ34へ移行する。この対象名称決定は、上述のステップＳ23と同様である。
【００６５】
ステップＳ34では、ステップＳ33での比較対象部品名称決定に続き、比較項目を選択決定し、ステップＳ35へ移行する。この比較項目の選択決定は、上述のステップＳ24と同様である。
【００６６】
ステップＳ35では、ステップＳ34での比較項目選択に続き、ステップＳ12にて選択した部品名称及びステップＳ34にて選択した比較項目に合致する時系列データを構成データ格納部２1又はコストデータ格納部２２から抽出し、ステップＳ36へ移行する。
【００６７】
ステップＳ36では、ステップＳ35でのデータ抽出に続き、ステップＳ33にて選択した比較対象の部品名称及びステップＳ34にて選択した比較項目に合致する時系列データを構成データ格納部２１又はコストデータ格納部２２から抽出し、ステップＳ37へ移行する。
【００６８】
ステップＳ37では、ステップＳ36でのデータ抽出に続き、抽出した時系列データをトレンド解析統計処理し、ステップＳ38へ移行する。なお、トレンド解析統計処理とは、抽出した時系列データを時間ごとに並べて、データの動向傾向の分析、将来予測を行うことである。
【００６９】
ステップＳ38では、ステップＳ37での統計処理に続き、処理結果を出力手段４０に表示し、処理を終了する。なお、ここでは図11に示す折れ線グラフとして表示する。
【００７０】
競争力評価処理（図18）のステップＳ41では、競争力評価条件入力画面１３ｃ（図12）を立ち上げ、ステップＳ42へ移行する。
【００７１】
ステップＳ42では、ステップＳ41での競争力評価条件入力画面１３ｃの立ち上げに続き、分析の比較対象になる部品名称を選択しながら絞り込み、ステップＳ43へ移行する。なお、この対象名称絞込みは上述のステップＳ22と同様である。
【００７２】
ステップＳ43では、ステップＳ42での比較対象部品名称絞込みに続き、最終的に任意の比較対象部品名称を決定し、ステップＳ44へ移行する。この対象名称決定は、上述のステップＳ23と同様である。
【００７３】
ステップＳ44では、ステップＳ43での比較対象部品名称決定に続き、比較項目を選択決定し、ステップＳ45へ移行する。この比較項目の選択決定は、上述のステップＳ24と同様である。
【００７４】
ステップＳ45では、ステップＳ44での比較項目選択に続き、ステップＳ12にて選択した部品名称及びステップＳ44にて選択した比較項目に合致する時系列コストデータをコストデータ格納部２２から抽出し、ステップＳ46へ移行する。
【００７５】
ステップＳ46では、ステップＳ45での時系列コストデータ抽出に続き、ステップＳ43にて選択した比較対象の部品名称及びステップＳ44にて選択した比較項目に合致する時系列コストデータをコストデータ格納部２２から抽出し、ステップＳ47へ移行する。
【００７６】
ステップＳ47では、ステップＳ46での時系列コストデータ抽出に続き、ステップＳ12にて選択した部品名称及びステップＳ44にて選択した比較項目に合致する時系列性能データを性能データ格納部２３から抽出し、ステップＳ48へ移行する。
【００７７】
ステップＳ48では、ステップＳ47での時系列性能データ抽出に続き、ステップＳ43にて選択した比較対象の部品名称及びステップＳ44にて選択した比較項目に合致する時系列性能データを性能データ格納部２３から抽出し、ステップＳ49へ移行する。
【００７８】
ステップＳ49では、ステップＳ48でのデータ抽出に続き、抽出したコストデータを競争力評価統計処理し、ステップＳ50へ移行する。なお、競争力評価統計処理とは、抽出した時系列データを時間ごと及び項目ごとに並べて、一覧表示することである。
【００７９】
ステップＳ50では、ステップＳ49での統計処理に続き、処理結果を出力手段４０に表示し、処理を終了する。なお、ここでは図13に示すレーダーチャートとして表示する。
【００８０】
次に、作用を説明する。
実施例１の自動車部品開発支援システムにおける作用を、「コストデータ算出作用」、「コストデータ格納作用」、「データ分析作用」に分けて説明する。
【００８１】
［コストデータ算出作用］
コストデータを算出するには、まず、図14に示す名称及び処理内容選択処理においてステップＳ１→ステップＳ２→ステップＳ３→ステップＳ４→ステップＳ５→ステップＳ10へと進み、図15に示す構成・コスト入力処理が実行される。
【００８２】
ここで、部品名称を選択し、決定するには、プルダウンボタンクリックすることで表示される名称データの一覧から任意に選択することで行うので、入力者によって異なる部品名称を入力することを防止して名称の統一を図ることができ、入力ミスの発生を防止することもできる。
【００８３】
そして、図15に示す構成・コスト入力処理において、ステップＳ11→ステップＳ12→ステップＳ13へと進み、材料費の算出が必要と判断されればステップＳ14へ進んで材料費が算出されてからステップＳ15へ進み、材料費の算出が不要と判断されればステップＳ13→ステップＳ15へと進む。さらに、ステップＳ15にて部品費の算出が必要と判断されればステップＳ16へ進んで部品費が算出されてからステップＳ17へ進み、部品費の算出が不要と判断されればステップＳ15→ステップＳ17へと進む。そして、ステップＳ17にて加工費の算出が必要と判断されればステップＳ18へ進んで加工費が算出されてからステップＳ19へ進み、加工費の算出が不要と判断されればステップＳ17→ステップＳ19へと進む。
【００８４】
ここで、コストデータの算出はコストデータ算出部３２にて実行されるので、コスト算出時間の短縮と精度の向上を図ることができる。
【００８５】
さらに、材料費、部品費、加工費を算出するための必要データの修正と、演算指令の入力をする画面である材料費入力画面１２ｂ、部品費入力画面１２ｃ、加工費入力画面１２ｄは、それぞれ構成・コスト入力画面１２ａと異なる画面となっている。そのため、コストデータが増減しても追加、変更等のシステム修正を柔軟に行うことができる。また、画面が異なることで入力時間及びコスト算出時間の短縮を図ることができる。
【００８６】
また、材料費、部品費、加工費の算出の要否は予め必要データ格納部２４に格納されているので、算出する必要がある項目（コストデータ）は名称データの入力に応じて自動的に表示される。そのため、算出するコストデータを決めることが不要になり、作業時間の短縮を図ることができる。
【００８７】
［コストデータ格納作用］
算出したコストデータを格納するには、図15に示す構成・コスト入力処理において、ステップＳ19→ステップＳ19ａへと進む。これにより、構成データが構成データ格納部２１へ格納され、コストデータがコストデータ格納部２２へと格納される。このとき、構成データとコストデータとは、データ格納処理部３４によって部品名称をキーに関連付けられて格納される。そのため、データの一元管理を行うことが可能となる。
【００８８】
［データ分析作用］
構成データ格納部２１に格納された構成データやコストデータ格納部２２に格納されたコストデータを活用するには、図14に示す名称及び処理内容選択処理においてステップＳ５→ステップＳ６へと進み、コスト分析を行うと判断すればステップＳ20へ進んでコスト分析処理が実行され、コスト分析を行わないと判断すればステップＳ７へ進んでトレンド解析を行うと判断すればステップＳ30へ進んでトレンド解析処理が実行され、トレンド解析を行わないと判断すればステップＳ40へ進んで競争力評価処理が実行される。
【００８９】
そして、図16に示すコスト分析処理において、ステップＳ21→ステップＳ22→ステップＳ23→ステップＳ24→ステップＳ25→ステップＳ26→ステップＳ27→ステップＳ28へと進み、コストデータ格納部２２に格納されたコストデータから必要なデータを抽出して統計処理し、コストデータを解析することで目標コストの設定を容易に行うことができるし、予め目標コストを設定しておけばその差を比較することもできる。また、予め入力しておいた他社製品のコストと比較でき、ＶＡ案件の抽出を行うことが可能となる。
【００９０】
さらに、図17に示すトレンド解析処理において、ステップＳ31→ステップＳ32→ステップＳ33→ステップＳ34→ステップＳ35→ステップＳ36→ステップＳ37→ステップＳ38へと進み、構成データ格納部２１に格納された構成データ及びコストデータ格納部２２に格納されたコストデータから必要なデータを抽出して統計処理し、トレンド解析を行うことで、年毎のコストトレンドを把握することができ、開発コスト目標値を示すことが可能となる。
【００９１】
また、図18に示す競争力評価処理において、ステップＳ41→ステップＳ42→ステップＳ43→ステップＳ44→ステップＳ45→ステップＳ46→ステップＳ47→ステップＳ48→ステップＳ49→ステップＳ50へと進み、コストデータ格納部２２に格納されたコストデータ及び性能データ格納部２３に格納された性能データから必要なデータを抽出して統計処理し、競争力評価を行うことで開発テーマの選定と目標値の設定を容易に行うことが可能となる。
【００９２】
次に、効果を説明する。
実施例１の自動車部品開発支援システムにあっては、下記に列挙する効果を得ることができる。
【００９３】
(1)  データ入力を行う入力手段１０と、データを格納したデータベース２０と、前記入力手段１０からの入力データや前記データベース２０の格納データからデータを抽出して演算し、演算結果や前記入力データを前記データベース２０に格納する演算手段３０と、前記演算手段の演算結果を出力する出力手段４０と、を備えた自動車部品開発支援システムであって、前記入力手段１０は、前記自動車部品の構成データを入力する構成データ入力部１２と、前記自動車部品に対する比較条件を入力する比較条件入力部１３とを有し、前記データベース２０は、自動車部品の構成データを格納する構成データ格納部２１と、前記自動車部品のコストデータを格納するコストデータ格納部２２と、前記自動車部品の性能データを格納する性能データ格納部２３と、を有し、前記演算手段３０は、前記自動車部品のコストデータを算出するコストデータ算出部３２と、前記自動車部品に関する統計処理をする統計処理部３３とを有し、前記コストデータ算出部３２は、前記構成データ入力部１２により入力された構成データに基づいてコストデータを算出し、前記統計処理部３３は、前記データベース２０から抽出したデータを統計処理する。これにより、容易にコスト算出を行うと共に、有効な経済評価を簡単に行うことができる。
【００９４】
(2)  前記演算手段３０は、前記構成データ入力部１２から入力された構成データと、前記コストデータ算出部３２により算出されたコストデータとを、前記自動車部品の名称をキーに関連付けて前記構成データ格納部２１と前記コストデータ格納部２２とにそれぞれ格納するデータ格納処理部３４を有する。これにより、データの一元管理を行うことができる。
【００９５】
(3)  前記統計処理部３３は、前記自動車部品のコストデータの内訳を比較するコスト分析部３５を有する。これにより、他社との比較を容易に行うことができ、ＶＡ案件の抽出が可能となった。
【００９６】
(4)   前記統計処理部３３は、前記自動車部品のトレンド解析をするトレンド解析部３６を有する。これにより、開発コスト目標値を示すことが可能となった。
【００９７】
(5)   前記統計処理部３３は、前記自動車部品の前記コストデータと前記性能データとを一元的に表示する競争力評価部３７を有する。これにより、開発テーマの選定と目標値の設定を容易に行うことが可能となった。
【図面の簡単な説明】
【００９８】
【図１】実施例１の自動車部品開発支援システムを示す全体構成図である。
【図２】実施例１の自動車部品開発支援システムにおけるメニューデータ入力部のログイン画面である。
【図３】実施例１の自動車部品開発支援システムにおけるメニューデータ入力部のメニュー画面である。
【図４】実施例１の自動車部品開発支援システムにおける構成データ入力部の構成・コスト入力画面である。
【図５】実施例１の自動車部品開発支援システムにおける材料費入力画面である。
【図６】実施例１の自動車部品開発支援システムにおける部品費入力画面である。
【図７】実施例１の自動車部品開発支援システムにおける加工費入力画面である。
【図８】実施例１の自動車部品開発支援システムにおける比較条件入力部のコスト分析条件入力画面である。
【図９】実施例１の自動車部品開発支援システムにおけるコスト分析処理結果を示す一例である。
【図１０】実施例１の自動車部品開発支援システムにおける比較条件入力部のトレンド解析条件入力画面である。
【図１１】実施例１の自動車部品開発支援システムにおけるトレンド解析処理結果を示す一例である。
【図１２】実施例１の自動車部品開発支援システムにおける比較条件入力部の競争力評価条件入力画面である。
【図１３】実施例１の自動車部品開発支援システムにおける競争力評価処理を示す一例である。
【図１４】実施例１の自動車部品開発支援システムにて実行される名称及び処理内容選択処理の流れを示すフローチャートである。
【図１５】実施例1の自動車部品開発支援システムにて実行される構成・コスト入力処理の流れを示すフローチャートである。
【図１６】実施例1の自動車部品開発支援システムにて実行されるコスト分析処理の流れを示すフローチャートである。
【図１７】実施例1の自動車部品開発支援システムにて実行されるトレンド解析処理の流れを示すフローチャートである。
【図１８】実施例1の自動車部品開発支援システムにて実行される競争力評価処理の流れを示すフローチャートである。
【符号の説明】
【００９９】
１０  入力手段
１１  メニューデータ入力部
１２  構成データ入力部
１３  比較条件入力部
２０  データベース
２１  構成データ格納部
２２  コストデータ格納部
２３  性能データ格納部
２４  必要データ格納部
３０  演算手段
３１  データ抽出部
３２  コストデータ算出部
３３  統計処理部
３４  データ格納処理部
３５  コスト分析部
３６  トレンド解析部
３７  競争力評価部
４０  出力手段
【図１】
2010079602.tif 000003
【図２】
2010079602.tif 000004
【図９】
2010079602.tif 000005
【図１１】
2010079602.tif 000006
【図１３】
2010079602.tif 000007
【図１４】
2010079602.tif 000008
【図１５】
2010079602.tif 000009
【図１６】
2010079602.tif 000010
【図１７】
2010079602.tif 000011
【図１８】
2010079602.tif 000012
【図３】
2010079602.tif 000013
【図４】
2010079602.tif 000014
【図５】
2010079602.tif 000015
【図６】
2010079602.tif 000016
【図７】
2010079602.tif 000017
【図８】
2010079602.tif 000018
【図１０】
2010079602.tif 000019
【図１２】
2010079602.tif 000020